(57)【要約】【課題】コンテンツデータの内容を表すコンテンツ画像データが取得できない場合であっても、ユーザにコンテンツデータの内容が判別可能な画像データを生成して表示させることができる、コンテンツ情報表示装置、コンテンツ情報表示方法、プログラムを提供する。【解決手段】コンテンツデータ特定部２２０はコンテンツデータを特定する。判定部２３０は特定されたコンテンツデータに関連するコンテンツ画像データが存在するか否かを判定する。関連情報取得部２４０はコンテンツ画像データが存在しない場合、コンテンツデータに関連する関連情報を取得する。画像データ生成部２５０は関連情報を用いて、前記コンテンツ画像データに代わる、関連情報の内容が判別可能な代替画像データを生成する。対応付け制御部２６０は代替画像データをコンテンツデータに対応付ける。表示制御部２１３は代替画像データを、コンテンツデータに対応付けて表示させる処理を行う。【選択図】図１
2012181899.tif 000002
【特許請求の範囲】
【請求項１】
コンテンツデータを特定するコンテンツデータ特定部、
前記コンテンツデータ特定部において特定された前記コンテンツデータに関連するコンテンツ画像データが存在するか否かを判定する判定部、
前記判定部においてコンテンツ画像データが存在しないと判定された場合、前記コンテンツデータに関連する関連情報を取得する関連情報取得部、
前記関連情報取得部において取得された前記関連情報を用いて、前記コンテンツ画像データに代わる、前記関連情報の内容が判別可能な代替画像データを生成する画像データ生成部、
前記画像データ生成部において生成された前記代替画像データを、前記コンテンツデータに対応付ける対応付け制御部、
前記対応付け制御部において対応付けられた前記代替画像データを、前記コンテンツデータに対応付けて表示させる処理を行う表示制御部、
を備えることを特徴とする、コンテンツ情報表示装置。
【請求項２】
前記コンテンツデータとは、楽曲データであり、
前記コンテンツ画像データとは、前記楽曲データに関連するジャケット画像データである、
ことを特徴とする請求項１に記載のコンテンツ情報表示装置。
【請求項３】
前記関連情報とは、前記楽曲データにおける楽曲タイトル情報、前記楽曲データに関連するアルバムタイトル名を含み、
前記画像データ生成部は、前記関連情報のうち一または複数の組み合わせた情報の内容が判別可能な前記代替画像データを生成する、
ことを特徴とする請求項２に記載のコンテンツ情報表示装置。
【請求項４】
前記代替画像データとは異なる他の画像データを選択する画像データ選択部を備え、
前記画像データ生成部は、前記関連情報取得部において取得された前記関連情報に加えて、前記画像データ選択部により選択された前記他の画像データからなる代替画像データを生成する、
ことを特徴とする請求項１から３のいずれか１項に記載のコンテンツ情報表示装置。
【請求項５】
コンテンツデータを特定するコンテンツデータ特定ステップ、
前記コンテンツデータ特定ステップにおいて特定された前記コンテンツデータに関連するコンテンツ画像データが存在するか否かを判定する判定ステップ、
前記判定ステップにおいてコンテンツ画像データが存在しないと判定された場合、前記コンテンツデータに関連する関連情報を取得する関連情報取得ステップ、
前記関連情報取得ステップにおいて取得された前記関連情報を用いて、前記コンテンツ画像データに代わる、前記関連情報の内容が判別可能な代替画像データを生成する画像データ生成ステップ、
前記画像データ生成ステップにおいて生成された前記代替画像データを、前記コンテンツデータに対応付ける対応付け制御ステップ、
前記対応付け制御ステップにより対応付けられた前記代替画像データを、前記コンテンツデータに対応付けて表示させる処理を行う表示制御ステップ、
を備えることを特徴とする、コンテンツ情報表示方法。
【請求項６】
コンテンツ情報表示装置が備えるコンピュータに、
コンテンツデータを特定するコンテンツデータ特定ステップ、
前記コンテンツデータ特定ステップにおいて特定された前記コンテンツデータに関連するコンテンツ画像データが存在するか否かを判定する判定ステップ、
前記判定ステップにおいてコンテンツ画像データが存在しないと判定された場合、前記コンテンツデータに関連する関連情報を取得する関連情報取得ステップ、
前記関連情報取得ステップにおいて取得された前記関連情報を用いて、前記コンテンツ画像データに代わる、前記関連情報の内容が判別可能な代替画像データを生成する画像データ生成ステップ、
前記画像データ生成ステップにおいて生成された前記代替画像データを、前記コンテンツデータに対応付ける対応付け制御ステップ、
前記対応付け制御ステップにより対応付けられた前記代替画像データを、前記コンテンツデータに対応付けて表示させる処理を行う表示制御ステップ、
を実行させることを特徴とする、プログラム。
【発明の詳細な説明】
【技術分野】
【０００１】
本発明は、再生対象のコンテンツに関る画像情報を表示する、コンテンツ情報表示装置、コンテンツ情報表示方法、プログラムに関する。
【背景技術】
【０００２】
ＣＤ（Compact Disc）やＣＤから取得した楽曲データを再生する装置において、アルバムのジャケット画像など、コンテンツに関る画像情報を表示する装置が普及している。このような装置は、例えばＣＤからのデータリッピング時に外部データベースよりそのＣＤに関るジャケット画像データを取得して、楽曲データに対応付けて記憶する。これにより、リッピングされた楽曲データの検索時や再生時に取得したジャケット画像を表示することができ、検索時や再生時に、ユーザは対象となる楽曲データの内容を視覚的に認識することができる。
【先行技術文献】
【特許文献】
【０００３】
【特許文献１】特開２００９−２８３０７４号公報
【発明の概要】
【発明が解決しようとする課題】
【０００４】
上述したジャケット画像データは、通常ネットワークを介した外部データベースより取得することが多く、外部データベースにジャケット画像データが存在しないことや、データベースを参照できないことによりジャケット画像データを取得できない装置がある。
【０００５】
特許文献１には、ジャケット画像データが入手できない場合に、対象となる楽曲のアーティスト情報と共通する属性データ有する楽曲の画像データを表示することが記載されている。
【０００６】
このような従来の装置においては、楽曲データに関連するジャケット画像データであるとはいえ、楽曲データの属するアルバムとは異なるアルバムのジャケット画像データであり、ユーザに誤解を与える可能性がある。
【０００７】
本発明の目的は、コンテンツデータの内容を表すコンテンツ画像データが取得できない場合であっても、ユーザにコンテンツデータの内容が判別可能な画像データを生成して表示させることができる、コンテンツ情報表示装置、コンテンツ情報表示方法、プログラムを提供することを目的とする。
【課題を解決するための手段】
【０００８】
上述した目的を達成するために、第１の発明に係るコンテンツ情報表示装置（１０）は、コンテンツデータを特定するコンテンツデータ特定部（２２０）、前記コンテンツデータ特定部（２２０）において特定された前記コンテンツデータに関連するコンテンツ画像データが存在するか否かを判定する判定部（２３０）、前記判定部（２３０）においてコンテンツ画像データが存在しないと判定された場合、前記コンテンツデータに関連する関連情報を取得する関連情報取得部（２４０）、  前記関連情報取得部（２４０）において取得された前記関連情報を用いて、前記コンテンツ画像データに代わる、前記関連情報の内容が判別可能な代替画像データを生成する画像データ生成部（２５０）、前記画像データ生成部（２５０）において生成された前記代替画像データを、前記コンテンツデータに対応付ける対応付け制御部（２６０）、前記対応付け制御部（２６０）において対応付けられた前記代替画像データを、前記コンテンツデータに対応付けて表示させる処理を行う表示制御部（２１３）、を備えることを特徴とする。
【０００９】
第２の発明に係るコンテンツ情報表示装置（１０）は、第１の発明において、前記コンテンツデータとは、楽曲データであり、前記コンテンツ画像データとは、前記楽曲データに関連するジャケット画像データである、ことを特徴とする。
【００１０】
第３の発明に係るコンテンツ情報表示装置（１０）は、第２の発明において、前記関連情報とは、前記楽曲データにおける楽曲タイトル情報、前記楽曲データに関連するアルバムタイトル名を含み、前記画像データ生成部（２５０）は、前記関連情報のうち一または複数の組み合わせた情報の内容が判別可能な前記代替画像データを生成する、ことを特徴とする。
【００１１】
第４の発明に係るコンテンツ情報表示装置（１０）は、第１から第３のいずれか１の発明において、前記代替画像データとは異なる他の画像データを選択する画像データ選択部（２７０）を備え、前記画像データ生成部（２５０）は、前記関連情報取得部（２４０）において取得された前記関連情報に加えて、前記画像データ選択部（２７０）により選択された前記他の画像データからなる代替画像データを生成する、ことを特徴とする。
【００１２】
第５の発明に係るコンテンツ情報表示方法は、コンテンツデータを特定するコンテンツデータ特定ステップ、前記コンテンツデータ特定ステップにおいて特定された前記コンテンツデータに関連するコンテンツ画像データが存在するか否かを判定する判定ステップ、前記判定ステップにおいてコンテンツ画像データが存在しないと判定された場合、前記コンテンツデータに関連する関連情報を取得する関連情報取得ステップ、前記関連情報取得ステップにおいて取得された前記関連情報を用いて、前記コンテンツ画像データに代わる、前記関連情報の内容が判別可能な代替画像データを生成する画像データ生成ステップ、前記画像データ生成ステップにおいて生成された前記代替画像データを、前記コンテンツデータに対応付ける対応付け制御ステップ、前記対応付け制御ステップにより対応付けられた前記代替画像データを、前記コンテンツデータに対応付けて表示させる処理を行う表示制御ステップ、を備えることを特徴とする。
【００１３】
第６の発明に係るプログラムは、コンテンツ情報表示装置（１０）が備えるコンピュータに、コンテンツデータを特定するコンテンツデータ特定ステップ、前記コンテンツデータ特定ステップにおいて特定された前記コンテンツデータに関連するコンテンツ画像データが存在するか否かを判定する判定ステップ、前記判定ステップにおいてコンテンツ画像データが存在しないと判定された場合、前記コンテンツデータに関連する関連情報を取得する関連情報取得ステップ、前記関連情報取得ステップにおいて取得された前記関連情報を用いて、前記コンテンツ画像データに代わる、前記関連情報の内容が判別可能な代替画像データを生成する画像データ生成ステップ、前記画像データ生成ステップにおいて生成された前記代替画像データを、前記コンテンツデータに対応付ける対応付け制御ステップ、  前記対応付け制御ステップにより対応付けられた前記代替画像データを、前記コンテンツデータに対応付けて表示させる処理を行う表示制御ステップ、を実行させることを特徴とする。
【発明の効果】
【００１４】
本発明によれば、コンテンツデータの内容を表すコンテンツ画像データが取得できない場合であっても、ユーザにコンテンツデータの内容が判別可能な画像データを生成して表示させることができる。
【図面の簡単な説明】
【００１５】
【図１】第１の実施例に係るコンテンツ情報表示装置の構成を表すブロック図である。
【図２】第１の実施例におけるコンテンツデータへの代替画像対応付け動作の例を表すフローチャートである。
【図３】第１の実施例におけるコンテンツデータへの代替画像対応付け動作の他の例を表すフローチャートである。
【図４】第１の実施例における代替画像生成動作例を表すフローチャートである。
【図５】第１の実施例において生成した代替画像の例を模した図である。
【図６】第１の実施例に係るコンテンツ情報表示装置における表示例を示す概念図である。
【図７】第２の実施例に係るコンテンツ情報表示装置の構成を表すブロック図である。
【図８】第２の実施例おける代替画像生成動作例を表すフローチャートである。
【図９】第２の実施例において生成した代替画像の例を模した図である。
【図１０】第３の実施例に係るコンテンツ情報表示装置の構成を表すブロック図である。
【図１１】第３の実施例におけるコンテンツデータへの代替画像対応付け動作の例を表すフローチャートである。
【図１２】第３の実施例におけるコンテンツデータへの代替画像対応付け動作の他の例を表すフローチャートである。
【図１３】第３の実施例における代替画像生成動作例を表すフローチャートである。
【図１４】第３の実施例において取得した歌詞データの例を表した図である。
【図１５】第３の実施例において生成した代替画像の例を模した図である。
【図１６】第３の実施例に係るコンテンツ情報表示装置における表示例を示す概念図である。
【図１７】第４の実施例に係るコンテンツ情報表示装置の構成を表すブロック図である。
【図１８】第４の実施例における代替画像生成動作例を表すフローチャートである。
【図１９】第４の実施例において解析により抽出した歌詞データの例を表した図である。
【図２０】第４の実施例において生成した代替画像の例を模した図である。
【図２１】第５の実施例に係るコンテンツ情報表示装置の構成を表すブロック図である。
【図２２】第５の実施例における代替画像生成動作例を表すフローチャートである。
【図２３】第５の実施例において生成した代替画像の例を模した図である。
【発明を実施するための形態】
【００１６】
以下、本発明のコンテンツ情報表示装置の第１の実施例について、図１から図６に基づき説明する。
【００１７】
図１は、第１の実施例に係るコンテンツ情報表示装置１０の構成を表すブロック図である。コンテンツ情報表示装置１０は、例えば音楽のコンテンツである楽曲データ等の再生を行うとともに、そのコンテンツに関する情報の表示を行うことができる装置であり、例えば据置き型オーディオ装置や、携帯型オーディオ装置などである。また、同様の機能を備えている装置であれば、例えば携帯電話やスマートフォン、携帯型メディア装置、ＰＣ（Personal Computer）、車載オーディオ装置、ナビゲーション装置などであってもよい。
【００１８】
図１に示すように、コンテンツ情報表示装置１０は、記憶部１１、操作部１２、通信部１３、表示部１４、音声出力部１５、制御部２０を備える。
【００１９】
記憶部１１は、例えばＨＤＤ（Hard Disk Drive）やフラッシュメモリ等により構成され、各種コンテンツのデータなどを記憶する。記憶部１１は、図示しない接続部に接続されたメモリカード、ＵＳＢ（Universal Serial Bus）メモリ、外部ＨＤＤ等の外部記憶デバイスであってもよい。
【００２０】
操作部１２は、コンテンツ情報表示装置１０の各部を動作させるためのユーザ指示を受け付け、受け付けたユーザ指示を制御部２０に出力して各部の動作を制御する。操作部１２が受け付けたユーザ指示は、制御部２０を通さずに直接各部に対して動作指示が行われてもよい。操作部１２は、押しボタン式やスライド式、回転式等の操作手段に加えて、表示部１４に重ねて設けられたタッチパネルであってもよい。操作部１２がタッチパネルを含むときは、表示部１４はタッチパネルによる操作を示す表示を行う。
【００２１】
通信部１３は、例えば外部ネットワークとの接続を行うインターフェースであり、例えばＬＡＮ（Local Area Network）接続用インターフェース、ＷｉＦｉ（Wireless Fidelity）接続用インターフェース等である。通信部１３は、接続したネットワークを介して、図示しない外部サーバ等所定のデータベースに接続し、後述する関連情報取得部２４０の制御によりコンテンツに関する各種情報を取得するための通信を行う。
【００２２】
表示部１４は、例えば液晶表示装置や有機ＥＬ（Electro Luminescence）表示装置等により構成され、後述する表示制御部２１３の制御によりコンテンツ表示装置１０に関する各種情報を表示する。また、表示部１４はコンテンツ情報表示装置１０に一体的に備えられているものに限らず、別体として備えられている装置であってもよい。
【００２３】
音声出力部１５は、後述する再生制御部２１１で再生処理されたコンテンツに関わる音声を出力する、例えばデジタルまたはアナログの音声出力端子やスピーカ等である。音声出力部１５は、図示しない増幅装置やＤＡＣ（Digital Analog Converter）を備えていてもよい。
【００２４】
制御部２０は、例えばＣＰＵ（Central Processing Unit）、ＲＡＭ（Random Access Memory）、ＲＯＭ（Read Only Memory）、ＤＳＰ（Digital Signal Processor）、画像処理用プロセッサ等により構成され、ＲＯＭに記録されたプログラムを動作させ、各種データの処理や各部の動作制御等を実行する。制御部２０は、上述した構成要素を用いて実現される再生制御部２１１、音声制御部２１２、表示制御部２１３、コンテンツデータ特定部２２０、判定部２３０、関連情報取得部２４０、画像データ生成部２５０、対応付け制御部２６０を、実施形態による必要性に応じて備える。
【００２５】
再生制御部２１１は、コンテンツの再生に関連する処理を行う。具体的には、操作部１２によるユーザ操作等によって選択された再生対象のコンテンツデータの読込み処理や、再生停止処理等を行う。
【００２６】
音声制御部２１２は、再生対象のコンテンツが楽曲データ等の音声からなるコンテンツである場合や、音声を含むコンテンツである場合、音声データのデコード処理、音質調整、音声出力部１５への出力等を制御する。また、音声制御部２１２は、入力された音声データのエンコード処理を行う。
【００２７】
表示制御部２１３は、表示対象となる各種情報を、所定の表示位置、所定の表示サイズ、所定の表示色等として、表示部１４に表示させる処理を行う。また、表示制御部２１３は、コンテンツが画像データや動画データを伴う場合、画像データや動画データのデコード処理や画質制御等を行う。
【００２８】
コンテンツデータ特定部２２０は、本発明の処理を適用させるコンテンツデータを特定する。特定されるコンテンツデータは、例えば楽曲データであり、１の楽曲データであっても、複数の楽曲データであってもよい。
【００２９】
判定部２３０は、コンテンツデータに対応付けるための各種関連情報が取得可能か否かを判断する。具体的には、コンテンツデータが楽曲データである場合、後述する関連情報取得部２４０により、楽曲名、アーティスト名、アルバム名、ジャンル情報、リリース年情報、ジャケット画像データ等が取得可能か否かを判断する。
【００３０】
判定部２３０はさらに、コンテンツデータに各種関連情報が対応付けられているか否かを判断する。具体的には、コンテンツデータが楽曲データである場合、そのコンテンツデータに、楽曲名、アーティスト名、アルバム名、ジャンル情報、リリース年情報、ジャケット画像データ等が対応付けられているか否かを判断する。
【００３１】
関連情報取得部２４０は、コンテンツデータに対応付けるための各種関連情報の取得を行う。具体的には、コンテンツデータが楽曲データである場合、楽曲名、アーティスト名、アルバム名、ジャンル情報、リリース年情報、ジャケット画像データ等を、通信部１３を用いてネットワーク接続された外部サーバより取得する。取得された各種関連情報は、コンテンツデータに対応付けられて記録される。
【００３２】
関連情報取得部２４０はさらに、コンテンツデータに対応付けられている各種関連情報を抽出する。具体的には、コンテンツデータが楽曲データである場合、コンテンツデータにタグ情報として対応付けられている、楽曲名、アーティスト名、アルバム名、ジャンル情報、リリース年情報、ジャケット画像データ等を抽出して取得する。
【００３３】
画像データ生成部２５０は、関連情報取得部２４０によって取得した楽曲名、アーティスト名、アルバム名等の各種コンテンツに関る情報のうち、必要な情報を用いて、コンテンツ画像データの例としてのジャケット画像データに代わる代替画像データの生成を行う。具体的には、代替画像データの生成に用いる文字情報の文字コードを抽出し、その文字コードに対応するフォントのビットマップデータ等により代替画像データを生成する。
【００３４】
対応付け制御部２６０は、コンテンツデータに対して関連情報取得部２４０が取得した各種関連情報の対応付けを行う。また、コンテンツデータに対して、画像データ生成部２５０によって生成された代替画像データの対応付けを行う。
【００３５】
次に、図２に基づきコンテンツ情報表示装置１０の動作について説明する。図２は、コンテンツデータに代替画像データを対応付けする処理の一例である。
【００３６】
図２において、先ずコンテンツデータ特定部２２０は、本発明の処理の対象となるコンテンツデータの特定を行う（ステップＳ１０１）。ここで特定されるコンテンツデータは、コンテンツデータにジャケット画像データが対応付けられていない、または対応付けられているのかの判断が行われていないコンテンツデータである。また、コンテンツデータの特定を行うタイミングは、例えば外部の記憶媒体から記憶部１１にコンテンツデータがコピーまたは移動されたときなどであり、これ以外にも操作部１２を用いてユーザによる指示が行われたときであってもよい。
【００３７】
ステップＳ１０１において、コンテンツデータが特定されると、特定されたコンテンツデータに対して判定部２３０は、コンテンツデータにジャケット画像データが対応付けられているか否かを判断する（ステップＳ１０２）。この判断は、例えばコンテンツデータが楽曲データである場合は、楽曲データに記録されている、例えばＩＤ３タグ等のタグ情報を確認することによって、ジャケット画像データが対応付けられているか否かが確認されることにより行われる。通常、複数の楽曲データが１つのアルバムに属しているため、同一のアルバムに属する楽曲データが複数存在する場合は、複数の楽曲データのうち１つの楽曲データに対して、ジャケット画像データが対応付けられているか否かを判断してもよい。
【００３８】
ステップＳ１０２において、ジャケット画像データが対応付けられていると判断された場合は（ステップＳ１０２：Ｙｅｓ）、本処理を終了する。ジャケット画像データが対応付けられていないと判断された場合は（ステップＳ１０２：Ｎｏ）、関連情報取得部２４０はコンテンツデータのタグ情報より、楽曲名、アーティスト名、アルバム名等の書誌データを取得する（ステップＳ１０３）。このとき、コンテンツデータに書誌データも対応付けられていない場合、関連情報取得部２４０は通信部１３を用いて外部データベースにアクセスし、書誌データを取得してコンテンツデータに対応付けてもよい。このとき、書誌データに加えてアルバム画像データも取得した場合は、同様にコンテンツデータに対応付けて本処理を終了してもよい。
【００３９】
ステップＳ１０３において書誌データを取得した後、画像データ生成部２５０は、ステップＳ１０３において取得した書誌データを用いて代替画像データを生成する（ステップＳ１０４）。代替画像データの生成動作は後述する。
【００４０】
ステップＳ１０４において代替画像データが生成された後、対応付け制御部２６０は、代替画像データをコンテンツデータに対応付ける処理を行う（ステップＳ１０５）。具体的には、生成した代替画像データをコンテンツデータに含めた形で保存することにより、対応付けを行う。コンテンツデータが楽曲データの場合、同一のアルバムに属している楽曲データが複数存在する場合は、複数の楽曲データに同一の代替画像データを対応付けてもよい。
【００４１】
ステップＳ１０５において、コンテンツデータに代替画像データが対応付けられた上で記憶部１１に記憶され、本処理を終了する。
【００４２】
コンテンツデータに代替画像データの対応付けを行う処理は、図２に示した例に限らず、他のどのようなタイミングであっても良い。図３は、コンテンツデータに代替画像データを対応付ける処理の他の例であり、ＣＤから圧縮された音声データを取得するときのタイミングで、代替画像データを対応付ける例である。
【００４３】
図３の動作は、コンテンツ情報表示装置１０に内蔵または外部に接続された図示しない光学式ディスク読み取り装置が存在していることが前提である。
【００４４】
図３において、先ずコンテンツデータ特定部２２０は、光学式ディスクのＴＯＣ（Table Of Contents）情報を読み込み、光学式ディスクにおけるコンテンツデータのコンテンツ数情報や時間情報等を取得する（ステップＳ２０１）。
【００４５】
ステップＳ２０１において、光学式ディスクのコンテンツ数情報や時間情報を読み込んだ後、関連情報取得部２４０は、コンテンツデータに対応付けるための各種関連情報の取得を行うためのデータベースに接続する（ステップＳ２０２）。ここで接続されるデータベースは、通信部１３を用いて接続される外部データベースである場合や、あらかじめ記憶部１１に記憶されているデータベースなどである。これらのデータベースにおいては、光学式ディスクのコンテンツ数情報や時間情報などが整合され、合致するコンテンツデータに対する関連情報を出力する。
【００４６】
ステップＳ２０２において、データベースに接続した後、判定部２３０はコンテンツデータに対応付ける書誌データがデータベースに存在するか否かを判断する（ステップＳ２０３）。この判断は、データベースより合致するコンテンツが存在しないという信号を取得することによって判断される。例えば、本処理の対象となるＣＤが発売直後である場合などに、データベースに関連情報が存在しないことがある。
【００４７】
ステップＳ２０３において対応する書誌データが存在すると判断された場合は（ステップＳ２０３：Ｙｅｓ）、判定部２３０はコンテンツデータに対応付けるジャケット画像データがデータベースに存在するか否かを判断する（ステップＳ２０４）。この判断は、データベースより合致するコンテンツのジャケット画像データが取得されたか否かにより判断される。
【００４８】
ステップＳ２０４において、ジャケット画像データが存在すると判断された場合は（ステップＳ２０４：Ｙｅｓ）、関連情報取得部２４０はデータベースより書誌データおよびジャケット画像データを取得する（ステップＳ２０５）。ステップＳ２０４において、ジャケット画像データが存在しない判断された場合は（ステップＳ２０４：Ｎｏ）、関連情報取得部２４０はデータベースより書誌データを取得する（ステップＳ２０６）。
【００４９】
ステップＳ２０６において書誌データを取得した後、画像データ生成部２５０は、ステップＳ２０６において取得した書誌データを用いて代替画像データを生成する（ステップＳ２０７）。代替画像データの生成動作は後述する。
【００５０】
ステップＳ２０３において対応する書誌データが存在しないと判断された場合（ステップＳ２０３：Ｎｏ）、ステップＳ２０５において対応する書誌データおよびジャケット画像データを取得した場合、およびステップＳ２０７において対応する書誌データを用いて代替画像データを生成した場合、音声制御部２１２は図示しない光学式ディスク読み取り装置において読み取った光学式ディスクの楽曲データを取得し、エンコード処理を行う。これをリッピング処理という（ステップＳ２０８）。
【００５１】
ステップＳ２０８におけるリッピング処理は、例えばＣＤ等の光学式ディスクに記憶されている楽曲データを光学式ディスク読み取り装置が読み取り、その楽曲データを例えばＭＰ３（MPEG Audio Layer-3）形式等のファイルとして記録することである。
【００５２】
ステップＳ２０８においてリッピング処理された楽曲データ等のコンテンツデータは、対応付け処理部２６０によりファイル名やタグ情報として、関連情報取得部２４０により取得した各種情報が対応付けられ、記憶部１１に記憶される（ステップＳ２０９）。ステップＳ２０９の処理は、ステップＳ２０３において対応する書誌データが存在しない場合、コンテンツデータに例えば記録順の番号等が楽曲名として付与され記憶部１１に記録される。またステップＳ２０５において書誌データおよびジャケット画像データが取得された場合、コンテンツデータに楽曲名やアルバム名等の書誌データがファイル名やタグ情報として付与されるとともに、ジャケット画像データがタグ情報に対応付けられて記録される。さらにステップＳ２０７において代替画像データが生成された場合、コンテンツデータに楽曲名やアルバム名等の書誌データがファイル名やタグ情報として付与されるとともに、代替画像データがコンテンツデータに対応付けられて記録される。
【００５３】
次に、ステップＳ１０４およびステップＳ２０７における代替画像データの生成処理について図４を用いて説明する。先ず、画像データ生成部２５０は関連情報取得部２４０により取得された書誌データを取得する（ステップＳ３０１）。
【００５４】
ステップＳ３０１において書誌データを取得した後、画像データ生成部２５０は取得した書誌データより、代替画像データを生成するための文字情報を抽出する（ステップＳ３０２）。具体的には、代替画像データとして画像を生成するための書誌データがアーティスト名である場合は、書誌データよりアーティスト名に相当する文字情報を抽出し、代替画像データを生成するための書誌データがアルバム名である場合は、書誌データよりアルバム名に相当する文字情報を抽出する。
【００５５】
代替画像データを生成するために必要な文字情報は、予め定められていてもよく、ユーザ設定により変更可能としてもよい。上記以外にも、例えば楽曲名に相当する文字情報や、ジャンル名に相当する文字情報など各種情報が利用可能であり、複数の組み合わせであってもよい。
【００５６】
また、代替画像データの画素数は表示部１４に代替画像データに基づく代替画像を表示したときに、代替画像データに変換された書誌データの内容が判別可能なサイズであることが望ましい。具体例としては、表示部１４の表示解像度がＷＶＧＡ(Wide Video Graphics Array)サイズである８００×４８０画素である場合、代替画像データは２００×２００画素の画素サイズなどとなる。
【００５７】
ステップＳ３０２において文字情報を抽出した後、画像データ生成部２５０は抽出した文字情報をフォントに当てはめる（ステップＳ３０３）。ここで当てはめるフォントは、記憶部１１等に記憶予め記憶されている各種フォントデータである。また、置き換えられるフォントのサイズは、代替画像データの画像サイズに収まる書誌データの文字が判別可能なサイズであることが好ましい。記憶部１１等に記憶されているフォントデータにベクトルフォントが記憶されていた場合や、ベクトルフォントのみ記憶されている場合、画像データ生成部２５０は当てはめられたフォントがベクトルフォントであるか否かを判断する（ステップＳ３０４）。
【００５８】
ステップＳ３０４において、当てはめられたフォントがベクトルフォントであると判断された場合は（ステップＳ３０４：Ｙｅｓ）、画像データ生成部２５０は当てはめられたベクトルフォントをラスタライズ処理する（ステップＳ３０５）。ラスタライズ処理とは、ベクトルフォントを表示する解像度に合わせたビットマップデータとすることである。
【００５９】
ステップＳ３０４において、当てはめられたフォントがベクトルフォントではないと判断された場合は（ステップＳ３０４：Ｎｏ）、当てはめられたフォントはビットマップフォントであるため、ビットマップフォントを用いて代替画像データを生成する（ステップＳ３０６）。また、ステップＳ３０５においてラスタライズされたベクトルフォントに基づくビットマップデータも同様にステップＳ３０６において代替画像データを生成する。
【００６０】
次に、ステップＳ１０４およびステップＳ２０７において生成された代替画像データに基づく代替画像の例を図５により説明する。第１の実施例において生成された代替画像データは、例えばジャケット画像データに類した正方形の画像であり、背景色は任意である。図５（ａ）は、関連情報取得部２４０により取得された書誌データより、アーティスト名およびアルバム名を用いて生成された代替画像データによる代替画像３１の例である。ここで用いられる書誌データは、他にジャンル情報やリリース年情報等が用いられてもよい。また、アルバムを代表する楽曲名を含んでもよい。ここでいうアルバムを代表する楽曲とは、アルバムにおける１曲目の楽曲や、アルバムタイトルと同一名の楽曲などであり、ユーザによって任意に選択された楽曲であってもよい。
【００６１】
図５（ｂ）は、アーティスト名およびアルバム名に加えて、アルバムに含まれる楽曲名を用いて生成された代替画像データに基づく代替画像３１の例であり、図５（ｃ）は、楽曲名のみを用いた代替画像３１の例である。これらの場合、楽曲名はアルバムに含まれる全ての楽曲に対する楽曲名ではなく、代替画像３１を表示部１４に表示したときに認識可能な程度の文字サイズで表示可能な一部の楽曲名としてもよい。また個々の楽曲名が代替画像３１の横幅で表示しきれない場合、１行で表示可能な部分のみ表示してもよく、複数行を用いて折り返し表示してもよい。
【００６２】
次に、コンテンツ情報表示装置１０の表示部１４に、本実施例において生成された代替画像データに基づく代替画像３１が表示される例を、図６を用いて説明する。図６（ａ）は、ユーザの操作によって再生したい楽曲をアルバムのジャケット画像３０のサムネイル表示により検索する画面の例である。図６（ｂ）は、図６（ａ）のサムネイル表示よりユーザの操作によっていずれかのジャケット画像３０または代替画像３１を選択し、選択されたアルバムの情報およびそのアルバムにおける楽曲の一覧が表示される画面の例である。図６（ａ）においてジャケット画像３０または画像３１が選択されたとき、図６（ｂ）に表示を推移させるとともに、選択されたアルバムの冒頭の楽曲から再生を開始してもよい。
【００６３】
図６（ａ）において、表示部１４における表示画面１４１に、記憶部１１に記憶されている楽曲データに対応するアルバムのジャケット画像３０および代替画像３１が複数表示されており、ユーザによる操作部１２の操作によってスライドバー３０１を上下操作することにより、さらに多くのジャケット画像３０または代替画像３１を閲覧できる。図６（ａ）においては、代替画像３１Ｅが選択されている状態を示している。
【００６４】
図６（ａ）において表示画面１４１に表示されているジャケット画像３０は、図２におけるステップＳ１０２において予め対応付けられているジャケット画像データ、または図３におけるステップＳ２０５において取得したジャケット画像データに基づいて表示される。また、代替画像３１は、図２におけるステップＳ１０４、または図３におけるステップＳ２０７において生成された代替画像データに基づいて表示される。
【００６５】
図６（ｂ）は、図６（ａ）における代替画像３１Ｅをユーザによる操作部１２の操作により選択したときの表示画面であり、表示画面１４１には、代替画像３１Ｅが選択されたアルバムのジャケット画像に代わり表示される。他には、書誌データよりアーティスト名表示部３１０にはアーティスト名、アルバムタイトル名表示部３２０にはアルバム名、リリース年情報表示部３３０にはアルバムのリリース年が表示される。これらの表示に加えて、書誌データに基づく他の表示が行われてもよい。また、楽曲一覧表示部３４０には、選択されたアルバムに属する楽曲名およびその演奏時間情報が表示される。図６（ｂ）においては、「楽曲タイトル０７」という楽曲が選択されまたは再生中であることを示している。
【００６６】
このように、本実施例においてはジャケット画像が対応付けられていないまたは取得できない楽曲やアルバムであっても、書誌データを基にそのアルバムの内容が判別可能な画像を生成し、ジャケット画像に代えて表示するため、ユーザは選択対象となるまたは選択されたアルバムがどのような内容であるかを認識することができる。
【００６７】
次に、本発明のコンテンツ情報表示装置の第２の実施例について、図７から図９に基づき説明する。なお第１の実施例と共通する構成要素および処理については、同一符号を付し、説明を省略する。
【００６８】
図７は、第２の実施例に係るコンテンツ情報表示装置１０の構成を表すブロック図である。図１に示した第１の実施例に係るコンテンツ情報表示装置１０と異なる点は、制御部２０において画像データ選択部２７０を備えることにある。
【００６９】
画像データ選択部２７０は、画像データ生成部２５０における代替画像データを生成する際に、代替画像における文字情報の背景となる他の画像を取得する。具体的には、書誌データに基づき同一アーティストのジャケット画像データを、ネットワークを介した外部データベースまたは記憶部１１より取得する。さらに記憶部１１に記憶された写真データ等を取得してもよい。
【００７０】
また、本実施例における画像データ生成部２５０は、関連情報取得部２４０によって取得した関連情報から抽出した文字のフォントに加えて、画像データ選択部２７０が取得した画像データを合成した代替画像データを生成する。
【００７１】
次に、図８に基づいて第２の実施例に係るコンテンツ情報表示装置１０における代替画像データの生成処理について説明する。代替画像データの対応付け処理は、第１の実施例における図２および図３に示した処理と共通する。
【００７２】
図８において、ステップＳ３０４において、当てはめられたフォントがベクトルフォントではないと判断された場合、またはステップＳ３０５において、ベクトルフォントのラスタライズ処理後、画像データ選択部２７０はステップＳ３０１において関連情報取得部２４０が取得した書誌データに基づき、同一アーティストにおける他のアルバムのジャケット画像データの有無を確認する（ステップＳ３１４）。ステップＳ３１４の処理は、記憶部１１に記録されている画像データに対して確認してもよく、通信部１３を用いてネットワークを介した外部データベースより取得する処理であってもよい。
【００７３】
ステップＳ３１４において同一アーティストの他のジャケット画像データが無いと判断された場合は（ステップＳ３１４：Ｎｏ）、画像データ選択部２７０は記憶部１１に記憶されている写真データの有無を確認する（ステップＳ３１５）。ステップＳ３１５の処理は、記憶部１１における写真データを格納するフォルダに格納された写真データより検索する。ステップＳ３１５で検索された写真データが複数ある場合は、撮影日時が最も新しい写真データや、予め代替画像データの背景として用いるための写真データを格納するフォルダ等に格納された写真データであってもよい。また、ステップＳ３１４の判断を行わずに、ステップＳ３１５の処理を行ってもよい。この場合、他のジャケット画像データの有無にかかわらず、記憶部１１に記憶されている写真データを取得する。
【００７４】
ステップＳ３１４において同一アーティストの他のジャケット画像データが有りと判断された場合は（ステップＳ３１４：Ｙｅｓ）、またはステップＳ３１５において写真データが有りと判断された場合は（ステップＳ３１５：Ｙｅｓ）、画像データ選択部２７０は他のジャケット画像データまたは写真データを選択画像データとして選択する（ステップＳ３１６）。
【００７５】
ステップＳ３１６において選択画像データが選択された後、画像データ生成部２５０はステップＳ３０３において当てはめられたフォントとステップＳ３１６により選択された選択画像データとを合成した代替画像データを生成し（ステップＳ３１７）、本処理を終了する。
【００７６】
次に、第２の実施例に係るコンテンツ情報表示装置１０において生成された代替画像データに基づく代替画像３２の例を図９により説明する。表示されている文字情報は書誌データに基づくフォント情報より生成され、背景の画像は画像データ選択部２７０により選択された選択画像データに基づき生成されている。背景の画像に対する文字情報の表示形態は任意であり、図９に示されているように、文字情報の背景の白抜きであってもよく、白抜き処理を行わなくともよい。また、文字情報の色は背景の画像に対して視認容易な色調としてもよい。
【００７７】
第２の実施例に係るコンテンツ情報表示装置１０における表示画面は、改めて図示しないが、第１の実施例における図６に示される代替画像３１を代替画像３２に置き換えたものである。このように、本実施例においては、ジャケット画像が対応付けられていないまたは取得できない楽曲やアルバムであっても、書誌データおよび画像データを基にそのアルバムの内容が判別可能な画像を生成し、ジャケット画像に代えて表示するため、ユーザは選択対象となるまたは選択されたアルバムがどのような内容であるかを認識することができる。画像データ選択部２７０により選択された選択画像データが、同一アーティストの他のジャケット画像データである場合は、ユーザは選択対象となるまたは選択されたアルバムがそのアーティストのアルバムであることが容易に認識される。また、画像データ選択部２７０により選択された選択画像データが他の写真データである場合は、表示画面において単調な文字情報の表示のみとはならず、美観の得られる表示とすることができる。
【００７８】
次に、本発明のコンテンツ情報表示装置の第３の実施例について、図１０から図１６に基づき説明する。なお第１の実施例と共通する構成要素および処理については、同一符号を付し、説明を省略する。
【００７９】
図１０は、第３の実施例に係るコンテンツ情報表示装置１０の構成を表すブロック図である。図１に示した第１の実施例に係るコンテンツ情報表示装置１０と異なる点は、制御部２０において歌詞データ取得部２８０を備えることにある。
【００８０】
歌詞データ選択部２８０は、通信部１３を介した外部データベースまたは記憶部１１より、指定された楽曲の歌詞データを取得する。具体的には、関連情報取得部２４０により取得した書誌データに基づいて特定された楽曲における歌詞データを、外部データベースより取得した場合は楽曲データに対応付けて記憶部１１に記憶し、代替画像データを生成するための歌詞データを抽出する。歌詞データが楽曲データに対応付けられて記憶部１１に記憶されている場合は、その歌詞データより代替画像データを生成するための歌詞データを抽出する。
【００８１】
また、本実施例における画像データ生成部２５０は、歌詞データ取得部２８０によって取得した歌詞データより必要な情報を用いて代替画像データを生成する。
【００８２】
次に、図１１および図１２に基づき、第３の実施例に係るコンテンツ情報表示装置１０における、コンテンツデータに代替画像データを対応付ける処理について説明する。
【００８３】
図１１において、ステップＳ１０３において関連情報取得部２４０が書誌データを取得した後、歌詞データ取得部２８０は書誌データに基づき歌詞データを取得する（ステップＳ１１３）。ステップＳ１１３において歌詞データを取得した後、画像データ生成部２５０は、ステップＳ１１３において取得した歌詞データを用いて代替画像データを生成する（ステップＳ１１４）。
【００８４】
また、図１２において、ステップＳ２０６において関連情報取得部２４０が書誌データを取得した後、歌詞データ取得部２８０は書誌データに基づき歌詞データを取得する（ステップＳ２１６）。ステップＳ２１６において歌詞データを取得した後、画像データ生成部２５０は、ステップＳ２１６において取得した歌詞データを用いて代替画像データを生成する（ステップＳ２１７）。
【００８５】
ステップＳ１１３の処理およびステップＳ２１６の処理において、歌詞データ取得部２８０により、書誌データを必要とせずに歌詞データが取得可能な場合は、ステップＳ１０３およびステップＳ２０６の処理を行わなくともよく、ステップＳ１１３およびステップＳ２１６では、書誌データ以外の認識手段により歌詞データを取得する。
【００８６】
次に、ステップＳ１１４およびステップＳ２１７における代替画像データの生成処理について図１３を用いて説明する。先ず、画像データ生成部２５０は歌詞データ取得部２８０により取得された歌詞データを取得する（ステップＳ３２１）。
【００８７】
ステップＳ３２１において歌詞データを取得した後、画像データ生成部２５０は取得した歌詞データより、代替画像データを生成するための文字情報を抽出する（ステップＳ３２２）。具体的には、代替画像データとして画像を生成するための歌詞データとして必要な楽曲の歌詞データおよび歌詞データにおける必要な箇所を抽出する。
【００８８】
代替画像データを生成するために必要な文字情報の範囲は、予め定められていてもよく、ユーザ設定により変更可能としてもよい。例えば、アルバムにおける１曲目やアルバムタイトルと同一タイトルの楽曲など、代表曲の歌詞の冒頭部や、アルバムに収録されている全ての楽曲、一部の楽曲における歌詞の冒頭部などでもよい。さらには、歌詞データにサビ部がフラグ付け等されている場合は、サビ部を文字情報として抽出してもよい。ステップＳ３２２において、歌詞データの必要箇所抽出後、画像データ生成部２５０は抽出した文字情報をフォントに当てはめる（ステップＳ３０３）。
【００８９】
次に、歌詞データ取得部２８０が取得した歌詞の例を、図１４を用いて説明する。図１４は、「アルバム名ＡＡ」に含まれる複数の楽曲データに対応する歌詞データである。歌詞データ取得部２８０により取得する歌詞データは、各々の楽曲における全ての歌詞データであるが、図４においては各楽曲データに対応する歌詞の冒頭部およびサビ部を示す。また、図４においては「アルバム名ＡＡ」に含まれる全楽曲データに対応する歌詞ではなく、「楽曲タイトル０１」から「楽曲タイトル０４」までの歌詞を示す。
【００９０】
図１５には、歌詞データ取得部２８０により取得された図１４に示す歌詞データにより生成した代替画像データに基づく代替画像３３の例を示す。図１５に示す代替画像３３は、いずれも「アルバム名ＡＡ」におけるジャケット画像データの代わりに表示部１４に表示される。
【００９１】
図１５（ａ）は、「アルバム名ＡＡ」の代表曲として１曲目の「楽曲タイトル名０１」の歌詞データを冒頭部から代替画像３３に表示可能な文字数を抽出し表記させた例である。図１５（ｂ）は、「アルバム名ＡＡ」に含まれている「楽曲タイトル名０１」から「楽曲タイトル名０４」までの冒頭４曲における各々の歌詞データの冒頭部のみを、各々１行として表記させた例である。図１５（ｃ）は、「アルバム名ＡＡ」に含まれている「楽曲タイトル名０１」から「楽曲タイトル名０４」までの冒頭４曲における各々の歌詞データのサビ部のみを、各々１行として表記させた例である。図１５（ｂ）および図１５（ｃ）は、「アルバム名ＡＡ」の冒頭４曲について表記する例としたが、冒頭１曲や全曲であってもよく、代表曲であってもよい。
【００９２】
次に、コンテンツ情報表示装置１０の表示部１４に、本実施例において生成された代替画像データに基づく代替画像３３が表示される例を、図１６を用いて説明する。図１６（ａ）は、ユーザの操作によって再生したい楽曲をアルバムのジャケット画像３０のサムネイル表示により検索する画面の例である。図１６（ｂ）は、図１６（ａ）のサムネイル表示よりユーザの操作によってジャケット画像３０に代わる代替画像３３が選択された状態を示す画面の例である。
【００９３】
図１６（ａ）において、表示部１４における表示画面１４１に、記憶部１１に記憶されている楽曲データに対応するアルバムのジャケット画像３０が複数表示されており、ジャケット画像が対応付けられていないアルバムに対しては、代替画像３３Ｃ、代替画像３３Ｅのように歌詞データ取得部２８０が取得した歌詞データに基づいたジャケット画像３０に代わる代替画像３３が対応付けられている。
【００９４】
図１６（ｂ）は、図１６（ａ）における画像３３Ｅをユーザによる操作部１２の操作により選択したときの表示画面であり、表示画面１４１には、代替画像３３Ｅが選択されたアルバムのジャケット画像に代わり表示される。
【００９５】
また、上記実施例において、歌詞データ取得部２８０は既存の歌詞データを取得する形態として説明したが、再生制御部２１１によって一旦音声データを再生させることによって、図示しない音声認識部により再生した楽曲データを音声認識させることによって、歌詞データを生成してもよい。この場合、処理負担を減らすために、再生した楽曲データにおけるボーカル成分の再生開始から数秒程度（例えば５秒）など所定時間のみ音声認識を行うことにより、歌詞データを生成してもよい。
【００９６】
このように、本実施例においては、ジャケット画像が対応付けられていないまたは取得できない楽曲やアルバムであっても、歌詞データを基にそのアルバムの内容が判別可能な代替画像３３を生成し、ジャケット画像に代えて表示するため、ユーザは選択対象となるまたは選択されたアルバムがどのような内容であるかを認識することができる。
【００９７】
次に、本発明のコンテンツ情報表示装置の第４の実施例について、図１７から図２０に基づき説明する。なお第１の実施例から第３の実施例と共通する構成要素および処理については、同一符号を付し、説明を省略する。
【００９８】
図１７は、第４の実施例に係るコンテンツ情報表示装置１０の構成を表すブロック図である。図１０に示した第３の実施例に係るコンテンツ情報表示装置１０と異なる点は、制御部２０において歌詞データ解析部２８２を備えることにある。
【００９９】
歌詞データ解析部２８２は、歌詞データ取得部２８０が取得した歌詞データを解析する。例えば、歌詞データより単語を抽出することにより、抽出した各単語の使用頻度を取得する解析を行うことができる。
【０１００】
第４の実施例における、コンテンツデータに代替画像データを対応付ける処理については、図１１および図１２に示した第３の実施例と同様である。次に、図１１におけるステップＳ１１４および図１２におけるステップＳ２１７による代替画像データの生成処理について図１８を用いて説明する。
【０１０１】
図１８において、先ず画像データ生成部２５０は歌詞データ取得部２８０により取得された歌詞データを取得する（ステップＳ３２１）。次に歌詞データ解析部２８２は、ステップＳ３２１において取得した歌詞データを解析する（ステップＳ３３２）。ステップＳ３３２における解析処理とは、歌詞データを構成する単語に区切り、各単語ごとの使用回数をカウントすることにより、使用頻度を取得する。
【０１０２】
ステップＳ３３２における解析結果により抽出された使用頻度の最も高い単語を、画像データ生成部２５０は代替画像データを生成するための文字情報として抽出する（ステップＳ３２２）。
【０１０３】
次に、歌詞データ解析部２８２が解析した歌詞の例を、図１９を用いて説明する。図１９は、「アルバム名ＡＡ」に含まれる複数の楽曲データに対応する歌詞データの頻出単語である。ここで頻出単語１とは各歌詞データにおいて最も頻度の高い単語であり、頻出単語２とは２番目に頻度の高い単語である。図１９においては「アルバム名ＡＡ」に含まれる全楽曲データに対応する歌詞ではなく、「楽曲タイトル０１」から「楽曲タイトル０４」までの歌詞データに対する解析結果を示したが、画像データ生成部２５０が代替画像データの生成に用いる楽曲の歌詞データを適宜解析すればよい。
【０１０４】
図２０には、歌詞データ解析部２８２により解析された図１９に示す歌詞データにより生成した代替画像データに基づく代替画像３４の例を示す。図２０に示す代替画像３４は、いずれも「アルバム名ＡＡ」におけるジャケット画像データの代わりに表示部１４に表示される。
【０１０５】
図２０（ａ）は、「アルバム名ＡＡ」の代表曲として１曲目の「楽曲タイトル名０１」の歌詞データにおける頻出単語１を抽出し表記させた例である。図２０（ｂ）は、「アルバム名ＡＡ」の代表曲として１曲目の「楽曲タイトル名０１」の歌詞データにおける頻出単語１および頻出単語２を列挙表記した例である。図２０（ｃ）は、「アルバム名ＡＡ」に含まれている「楽曲タイトル名０１」から「楽曲タイトル名０４」までの冒頭４曲における各々の抽出単語を各々１行として表記させた例である。図２０（ｃ）は、「アルバム名ＡＡ」の冒頭４曲について表記する例としたが、全曲であってもよい。また、抽出した単語は１つの単語により構成されるものに限らず、複数の単語からなる熟語や短文であってもよい。
【０１０６】
このように、本実施例においては、ジャケット画像が対応付けられていないまたは取得できない楽曲やアルバムであっても、歌詞データにおける頻出単語を基にそのアルバムの内容が判別可能な代替画像３４を生成し、ジャケット画像に代えて表示するため、ユーザは選択対象となるまたは選択されたアルバムがどのような内容であるかを認識することができる。
【０１０７】
次に、本発明のコンテンツ情報表示装置の第５の実施例について、図２１から図２３に基づき説明する。なお第１の実施例から第４の実施例と共通する構成要素および処理については、同一符号を付し、説明を省略する。
【０１０８】
図２１は、第５の実施例に係るコンテンツ情報表示装置１０の構成を表すブロック図である。図１７に示した第４の実施例に係るコンテンツ情報表示装置１０と異なる点は、制御部２０において画像データ選択部２７０を備えることにある。画像データ選択部２７０は、図７に示す第２の実施例における画像データ選択部２７０と同一である。
【０１０９】
また、本実施例における画像データ生成部２５０は、歌詞データ取得部２８０によって取得した歌詞データから抽出した文字のフォントに加えて、画像データ選択部２７０が取得した画像データを合成した代替画像データを生成する。
【０１１０】
第５の実施例における、コンテンツデータに代替画像データを対応付ける処理については、図１１および図１２に示した第３の実施例と同様である。また、図１１におけるステップＳ１１４および図１２におけるステップＳ２１７による代替画像データの生成処理について図２２に示すが、図８に示した第２の実施例における処理と図１３に示した第３の実施例における処理との組み合わせであるため、説明を省略する。
【０１１１】
次に、第５の実施例に係るコンテンツ情報表示装置１０において生成された代替画像データに基づく代替画像３５の例を図２３により説明する。図２３における代替画像３５において、文字情報は歌詞データにおける頻出単語に基づくフォント情報より生成され、背景の画像は画像データ選択部２７０により選択された選択画像データに基づき生成されている。背景の画像に対する文字情報の表示形態は任意である。
【０１１２】
このように、本実施例においては、ジャケット画像が対応付けられていないまたは取得できない楽曲やアルバムであっても、歌詞データや歌詞データにおける抽出された単語を基にそのアルバムの内容が判別可能な代替画像３５を生成し、ジャケット画像に代えて表示するため、ユーザは選択対象となるまたは選択されたアルバムがどのような内容であるかを認識することができる。また、代替画像３５において背景となる、画像データ選択部２７０により選択された選択画像データが、同一アーティストの他のジャケット画像データである場合は、ユーザは選択対象となるまたは選択されたアルバムがそのアーティストのアルバムであることが容易に認識される。同様に、画像データ選択部２７０により選択された選択画像データが他の写真データである場合は、表示画面において単調な文字情報の表示のみとはならず、美観の得られる表示とすることができる。
【符号の説明】
【０１１３】
１０：コンテンツ情報表示装置、１１：記憶部、１２：操作部、１３：通信部、１４：表示部、１４１：表示画面、１５：音声出力部、２０：制御部、２１１：再生制御部、２１２：音声制御部、２１３：表示制御部、２２０：コンテンツデータ特定部、２３０：判定部、２４０：関連情報取得部、２５０：画像データ生成部、２６０：対応付け制御部、２７０：画像データ選択部、２８０：歌詞データ取得部、２８２：歌詞データ解析部、３０：ジャケット画像、３１〜３５：代替画像、３１０：アーティスト名表示部、３２０：アルバムタイトル名表示部、３３０：リリース年情報表示部、３４０：楽曲一覧表示部
【図１】
2012181899.tif 000003
【図２】
2012181899.tif 000004
【図３】
2012181899.tif 000005
【図４】
2012181899.tif 000006
【図５】
2012181899.tif 000007
【図６】
2012181899.tif 000008
【図７】
2012181899.tif 000009
【図８】
2012181899.tif 000010
【図１０】
2012181899.tif 000011
【図１１】
2012181899.tif 000012
【図１２】
2012181899.tif 000013
【図１３】
2012181899.tif 000014
【図１４】
2012181899.tif 000015
【図１５】
2012181899.tif 000016
【図１６】
2012181899.tif 000017
【図１７】
2012181899.tif 000018
【図１８】
2012181899.tif 000019
【図１９】
2012181899.tif 000020
【図２０】
2012181899.tif 000021
【図２１】
2012181899.tif 000022
【図２２】
2012181899.tif 000023
【図９】
2012181899.tif 000024
【図２３】
2012181899.tif 000025